(57)【要約】  イナーシャプローン画像表示装置を駆動するためのシステム、特に液晶ディスプレイを駆動するためのシステムであって、フレームからフレームへのビデオ信号の変化に応じた補正値が、イナーシャルエフェクトを補償するために入力ビデオ信号に加えられるようになっていると共に、補正ビデオ信号が、前記画像表示装置に渡されるようになっているシステムにおいて、前記補正値を生成するために、前記画像表示装置のモデルに係るブロックが備えられており、前記モデルが、出力変数として状態変数を有し、第１の入力変数として前記ビデオ信号を有し、第２の入力変数として先行フレームからの前記状態変数を有する。更には、前記補正値を導出するために、関数に係るブロックが備えられており、前記関数が、入力変数として前記入力ビデオ信号と前記先行フレームの前記状態変数とを有し、出力変数として前記補正ビデオ信号を有する。
2007503614.tif 000002
【特許請求の範囲】
【請求項１】
イナーシャプローン画像表示装置を駆動するためのシステム、特に液晶ディスプレイを駆動するためのシステムであって、フレームからフレームへのビデオ信号の変化に応じた補正値が、イナーシャルエフェクトを補償するために入力ビデオ信号に加えられるようになっていると共に、補正ビデオ信号が、前記画像表示装置に渡されるようになっているシステムにおいて、
前記補正値を生成するために、前記画像表示装置のモデルが備えられており、前記モデルが、出力変数として状態変数を有し、第１の入力変数として前記ビデオ信号を有し、第２の入力変数として先行フレームからの前記状態変数を有し、
更に、前記補正値を導出するために、関数が備えられており、前記関数が、入力変数として作用する前記入力ビデオ信号と前記先行フレームの前記状態変数とを有し、出力変数として前記補正ビデオ信号を有することを特徴とするシステム。
【請求項２】
前記関数が、テーブル内に記憶されていることを特徴とする請求項１記載のシステム。
【請求項３】
前記補正ビデオ信号が、前記モデルの前記第１の入力変数であることを特徴とする請求項１又は２記載のシステム。
【請求項４】
前記入力ビデオ信号が、前記第１の入力変数であり、前記モデルが、前記補正値を導出することを特徴とする請求項１又は２記載のシステム。
【請求項５】
前記モデルと、前記補正値を導出するための前記テーブルとが、共通テーブルにおいて結合されていることを特徴とする請求項１又は２記載のシステム。
【請求項６】
前記共通テーブルに更に、前記入力ビデオ信号と前記補正値とが追加されることを特徴とする請求項５記載のシステム。
【請求項７】
前記入力変数及び前記出力変数の挿入ノードが前記モデル内に格納されており、前記挿入ノード間に挿入するための手段が備えられていることを特徴とする請求項１乃至６のいずれか１項記載のシステム。
【発明の詳細な説明】
【技術分野】
【０００１】
本発明は、イナーシャプローン画像表示装置（ｉｎｅｒｔｉａ−ｐｒｏｎｅ  ｐｉｃｔｕｒｅ−ｒｅｐｒｏｄｕｃｉｎｇ  ｄｅｖｉｃｅ）を駆動するためのシステム、特に液晶ディスプレイを駆動するためのシステムに関しており、当該システムにおいては、フレームからフレームへのビデオ信号の変化に応じた補正値が、イナーシャルエフェクト（ｉｎｅｒｔｉａｌ  ｅｆｆｅｃｔ）を補償するために入力ビデオ信号に加えられ、補正ビデオ信号が、当該画像表示装置に渡される。
【背景技術】
【０００２】
液晶ディスプレイ（ＬＣＤ）は、過渡応答が不十分なことで知られている。２つの連続するフレーム間での入力ビデオ信号の急激な変化は、ＬＣＤによって発せられる輝度に、対応する急激な変化をもたらすことはない。その代わり、液晶ディスプレイは著しいイナーシャを示し、発せられた輝度はもっぱら、徐々に既定値へと近付いて行く。当該遷移は、複数周期分のフレーム周期（リフレッシュサイクル）にわたって続くことがある。この振る舞いは特に、動きのあるフレームシーケンスに動きの乱れをもたらし、当該フレームシーケンスでは特に、エッジがぼやけた形で表示される。当該動きの乱れは、それぞれの時点の現行（ｃｕｒｒｅｎｔ）ビデオ信号の振幅と、先行ビデオ信号とに依存する。加えて、液晶ディスプレイの輝度応答は、特別に使用されているそれぞれの技術に依存する。
【０００３】
フレームシーケンス中の動いている物体のエッジは不明瞭なので、この影響もまた以下では、動きのぼやけとして言及される。例えば、ＵＳ６３０４２５４（特許明細書）によって開示された方法では、それぞれの先行フレームが蓄積される。現行フレーム及び先行フレームの個々のピクセルの値が、補正値が読み出されるテーブル内に格納され、当該補正値は、ビデオ信号の急激な変化というオーバードライブをもたらす。動きのぼやけは、その結果、実に一次近似へと改善可能である。しかしながら、既知の方法には様々な不都合がある。例を挙げると、例えば、液晶ディスプレイの増幅器の振幅域の制限を越えるオーバードライブは許容されない。しかしながら、オーバードライブが結果的に十分でない場合には、後の補正も、上記のような急激な変化の後は、たった１つのフレームの不足によりもはや行うことができない。
【０００４】
ＵＳ２００２／０１７５９０７（公開明細書）は、液晶ディスプレイを備えるシステムを開示しており、当該液晶ディスプレイでは、当該液晶ディスプレイの構成要素の静電容量の値についての予測値が、補正値を生成するために使用される。このシステムで利用するのが、液晶は、非常に短時間に自己を特定の状況に適合させることはなく、個々の構成要素の静電容量をゆっくりと変化させ、その結果、印加電圧も変化する、という事実である。この既知のシステムでは、静電容量の値は、印加電圧の関数として記憶され、その結果、適用されるべきオーバードライブの指標（ｍｅａｓｕｒｅ）として間接的に役立つ。
【発明の開示】
【課題を解決するための手段】
【０００５】
本発明によるシステムには、画像表示装置のモデルに係るブロックが備えられており、前記モデルが、補正値を生成するために、出力変数として状態変数を有し、第１の入力変数としてビデオ信号を有し、第２の入力変数として先行フレームからの状態変数を有し、更には、補正値を導出するために、関数に係るブロックが備えられており、前記関数が、入力変数として入力ビデオ信号と先行フレームの状態変数とを有し、出力変数として補正ビデオ信号を有する。本発明によるシステムによれば、動きのぼやけが改善される。前記関数は好適には、テーブル内に記憶されている。
【０００６】
前記状態変数はこの場合、急激な信号の変化によって生成される輝度の時間変化、から導出される変数の数値表示である。前記変数は例えば、フレーム周期の終了時点における輝度又はフレーム周期にわたって平均された輝度としてもよい。
【０００７】
上述の既知の方法と比較して、本発明によるシステムには、次のような利点がある。即ち、オーバードライブが改善されているので、補正が（フレームからフレームへと）単一のステップで実行できない場合に、当該オーバードライブによってシステムエラーが引き起こされるようなことはない、という利点である。上述の既知の方法に代わり、本発明の場合には、制限されたダイナミックレンジだけが必要とされ、最適な補正が、２つ以上のフレームにわたって実行可能である。加えて、仮に原則として単一段の補正が実行可能であったとしても、補正は、複数のフレームにわたって容易に適用可能である。
【０００８】
このフレキシビリティは様々な理由で有利である。オーバードライブを決定するために液晶ディスプレイのタイムモデルを使用すると、通常、精度が制限される。一のフレームからその次のフレームへの補正が試みられる場合、これによって、動いているエッジの過剰補償が容易にもたらされてしまう。しかしながら、本発明によるシステムでは、複数のフレームにわたって補正が及ぶような調整を確実に実施することができ、その結果、いかなる補償過多も除去することができる。
【０００９】
なお、液晶ディスプレイのイナーシャルな振る舞いは、著しく非対称的であり、これは、立ち上がりエッジにおける振る舞いが、実質的にビデオ信号の立ち下がりエッジと異なることを意味する。これによってもたらされ得るのは、動いている物体の２つの対向エッジの内の１つのエッジだけが、１つのステップで補正可能、即ち一のフレームからその次のフレームへと補正可能であり、その対向エッジについては複数のフレームにわたる補正を必要とする、というような状況である。当該エッジ法では、その結果、非対称的な乱れが発生し、必要な数のフレームが、本発明による方法の補正に利用可能となる。
【００１０】
上述の既知のシステムと比較して、本発明によるシステムには、特定のビデオ信号への輝度応答の大部分が完全に考慮されるという利点がある。輝度応答は、液晶ディスプレイのタイプ、商品か見本かに応じて、あらかじめ計測学的に（ｍｅｔｒｏｌｏｇｉｃａｌｌｙ）決定可能である。
【００１１】
本発明の有利な実施形態では、前記補正ビデオ信号が、前記モデルの前記第１の入力変数である。しかしながら、それぞれのケースで補正値が知られているので、前記入力ビデオ信号が前記第１の入力変数であり、前記モデルが前記補正値を導出する、ような別の実施形態も提案可能である。この実施形態は、前記モデルと、前記補正値を導出するための前記テーブルとが、共通テーブルにおいて結合されている、というようにして単純化することができる。
【００１２】
なお、前記共通テーブルに、前記入力ビデオ信号及び前記補正値が追加される、ような更なる実施形態も提案可能である。
【００１３】
前記テーブル又は前記モデルのための記憶装置をそれぞれできるだけ小さくするため、且つ、その結果としてそれを安価に維持するため、前記入力変数及び前記出力変数の挿入ノードが前記モデルに格納されており、且つ、前記挿入ノード間での挿入のための手段が備えられているような本発明によるシステム、も更に提案可能である。
【００１４】
本発明のこれらの及びその他の側面は、以下の記載の実施形態から明らかになり、以下の記載の実施形態を参照して明確にされることになる。
【発明を実施するための最良の形態】
【００１５】
図面について付言するに、図面では、実際には、例示的な実施形態がその部分と同様にブロック回路図として示されている。しかしながら、これは、本発明によるシステムが、ブロックに対応する個々の回路を用いた実施形態に限定されることを意味するものではない。逆に、本発明によるシステムは、大規模集積回路を用いるという特別に有利な態様で実施可能である。これに関して言えば、適切なメモリを備えるマイクロコンピュータが、適切なプログラミングと共に使用され、ブロック回路図に示した処理ステップを実行するようにしてもよい。
【００１６】
図１に示す既知のシステムは、入力ビデオ信号Ｖｉ用の入力端子１を有しており、入力ビデオ信号Ｖｉが、加算器２を介して出力端子３へと送られ、そこから、補正ビデオ信号Ｖｏとして、図示されていない液晶ディスプレイへと送られる。当該ビデオ信号はデジタル信号の形をとり、それぞれの値が各ピクセルに割り当てられる。これらの値は、記憶装置５内に各フレーム毎又は各画像毎に記憶され、同時に、ルックアップテーブル（オーバードライブＬＵＴ）の入力変数として、先行フレームの（フレーム記憶装置５から読み出された）値Ａと共に送られる。各ペアＡ、Ｂについて、Ｂは補正値Ｃを含む。ルックアップテーブル４から得られた補正値Ｃは、動きのぼやけについてできるだけ良い補償が行われるような選び方で選択され、加算器２へと渡される。図１に見られるように、現行フレームに加えて、先行フレームだけが、補正値を取得するときに考慮される。
【００１７】
図２に示す本発明によるシステムでは、ビデオ信号Ｖｏの補正値Ｂ＋Ｃが、液晶ディスプレイのモデル６へと送られる。当該モデルは、それぞれの入力ビデオ信号に対する液晶ディスプレイの輝度応答を再現し、それ故に「応答モデル」と呼ばれる。その出力変数Ｓは、フレーム記憶装置５内に記憶される。先行フレームのフレーム記憶装置５から読み出された変数Ｓ’は、Ｂ＋Ｃに加えて、モデル６の入力変数として使用される。これは、補正値Ｃを導出するときに複数の先行フレームが考慮される、というような繰り返し構造をもたらす。図１に関連して既に説明した変数Ａのように、Ｓ’は値Ｂと共にルックアップテーブル４へと送られる。
【００１８】
図３に示す第２の例示的な実施形態では、値ＢとＳ’を入力変数として含む拡張モデル７が使用される。図２に示す例示的な実施形態と比較するに、拡張モデル７は、補正値Ｃを考慮に入れる。補正値Ｃが変数ＢとＳ’だけに依存するからである。その他の点では、図３に示す例示的な実施形態は、図２に示す例示的な実施形態と同一である。
【００１９】
図３に示す例示的な実施形態と比べて、図４に示す第３の例示的な実施形態では、補正値Ｃを生成するためのテーブルが、モデルと結合されて、共通テーブル８を形成している。最後に、図５に示す第４の例示的な実施形態では、加算器２（図４）が、テーブル９内に設けられている。前記テーブルのサイズの一例としては、各ケース（例えば、Ｒ、Ｇ、Ｂ）の１つのチャンネル当たり、アドレス領域が１６ビットであり、ワードサイズが同様に１６ビットであるものが挙げられる。８ビットが出力信号用に使用され、８ビットが変数Ｓを保持するために使用される。フレーム記憶装置５のサイズは、同様に８ビットである。
【図面の簡単な説明】
【００２０】
【図１】既知の方法を実行するためのシステムのブロック回路図を示す。
【図２】第１の例示的な実施形態のブロック回路図を示す。
【図３】第２の例示的な実施形態のブロック回路図を示す。
【図４】第３の例示的な実施形態のブロック回路図を示す。
【図５】第４の例示的な実施形態のブロック回路図を示す。
【図１】
2007503614.tif 000003
【図２】
2007503614.tif 000004
【図３】
2007503614.tif 000005
【図４】
2007503614.tif 000006
【図５】
2007503614.tif 000007
【国際調査報告】
2007503614.tif 000008
2007503614.tif 000009
2007503614.tif 000010